(57)【特許請求の範囲】
【請求項１】
車両上で車両の運行に関連する情報を取得し所定の記録媒体に記録する機能として、映像データを常時記録し、及び／又は、過大な加速度検出時を含むイベント時に映像及び車両の運行に関するデータを記録するドライブレコーダの記録機能と、一定の時間間隔で車両の運行に関するデータを取得して時系列データとして記録するデジタルタコグラフの記録機能と、を有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に予め登録されている記録可能種別情報を参照し、該当する記録媒体に対する前記ドライブレコーダの記録機能及び前記デジタルタコグラフの記録機能の各々の実行可否を前記記録可能種別情報に従って決定する情報記録制御部と
を備えることを特徴とする車載情報記録装置。
【請求項２】
車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記記録可能種別情報は、前記複数の記録媒体接続部の中で該当する記録媒体の接続を許容する接続先を特定する情報を含む
ことを特徴とする車載情報記録装置。
【請求項３】
車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記複数の記録媒体接続部は、それぞれに割り当てられた車載器側記録可能種別情報を有し、
前記情報記録制御部は、記録媒体接続部に接続された記録媒体上の記録可能種別情報、および該当する記録媒体接続部に割り当てられた車載器側記録可能種別情報に従って、該当する記録媒体における前記複数の記録モードの各々の実行可否を決定する
ことを特徴とする記載の車載情報記録装置。
【請求項４】
車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記情報記録制御部は、前記複数の記録媒体接続部の各々に対する記録媒体の接続状況を逐次監視し、接続有無の変化を検出した場合には、最新の接続状態における前記記録可能種別情報に従って、前記複数の記録モードの各々の実行可否の状態を更新する
ことを特徴とする請求項１に記載の車載情報記録装置。
【発明の詳細な説明】
【技術分野】
【０００１】
本発明は、車両上で車両の運行に関連する情報を取得し所定の記録媒体に記録する機能を有する車載情報記録装置に関する。
【背景技術】
【０００２】
従来より、一般的な車載情報記録装置として、ドライブレコーダやデジタルタコグラフのような車載器が様々な業務用車両などに搭載され利用されている。車両に搭載される一般的なドライブレコーダは、車載カメラで撮影された映像や車両の速度などのデータをメモリカードなどの記録媒体に自動的に記録するものが多い。また、従来より交通事故の発生などのイベントをトリガとして一定時間だけ記録を実行するトリガ記録タイプや、イベントとは無関係に常時記録を実行する常時記録タイプのドライブレコーダが存在している。また、デジタルタコグラフは車両の運行に関する情報、例えば車速、エンジン回転速度、車両位置などを定期的に取得して、これらの時系列データをメモリカードなどの記録媒体に自動的に記録するものが多い。
【０００３】
ところで、上記のようなドライブレコーダやデジタルタコグラフにおいては、メモリカードなどの記録媒体がデータの保存先になるので、記録可能なデータの容量が有限である。しかし、記録すべきデータについては、イベントが発生するたびに、あるいは時間の経過に伴って徐々に追加されるので、記録媒体上に空き領域がなくなり、それ以降のデータを保存できない状態になる。
【０００４】
従って、容量が小さい記録媒体を利用するドライブレコーダにおいては、記録媒体上でデータを記録可能な空き領域がなくなった場合に、時間的に古い記録データを記録媒体から消去して新たな空き領域を確保したり、古い記録データを上書きするようにデータの書き込みを行うのが一般的である。そのため、長時間のデータを全て記録することはできないし、時間的に古くなったデータを残すこともできない。
【０００５】
ドライブレコーダに関する従来技術として、例えば特許文献１に開示された技術が知られている。特許文献１においては、次のような技術を開示している。
（１）ドライブレコーダの車載器が、イベント発生時のデータと、所定周期で取得される運行データと、常時記録データとをそれぞれメモリカードに記録する。
（２）ドライブレコーダの車載器に装着されたメモリカードについて、大容量のメモリカード（ＳＤＨＣ）と低容量のメモリカード（ＳＤ）とを自動的に識別する。
（３）メモリカードが未記録の状態では、装着されているメモリカードの種別（ＳＤＨＣ／ＳＤ）に応じて記録モード（大容量モード／低容量モード）を自動的に切り替える。また、メモリカードが既に記録済みの場合は、記録されているデータの方式に従って記録モードを選択する。
【先行技術文献】
【特許文献】
【０００６】
【特許文献１】特開２０１１−９１６６７号公報
【発明の概要】
【発明が解決しようとする課題】
【０００７】
ところで、ドライブレコーダ等の車載器においては、１枚の記録媒体の記録容量の上限を超える長時間のデータ記録を可能にするために、複数枚の記録媒体を搭載することが考えられている。例えば、２枚の記録媒体を搭載することにより、記録媒体が１枚だけの場合と比べて記録可能な容量を２倍に増やすことができ、長時間の記録が可能になる。
【０００８】
また、特許文献１に開示されているように、容量が異なる複数種類（ＳＤ／ＳＤＨＣ）の記録媒体を車載器に接続可能にすることも想定されている。更に、特許文献１に開示されているように、デジタルタコグラフの機能（所定周期で取得される運行データを記録する）をドライブレコーダの車載器に組み込みこれらを一体化することも想定されている。
【０００９】
従って、例えばデジタルタコグラフの機能とドライブレコーダの機能とを一体化した車載器に、同時に複数の記録媒体を接続して使用することも想定される。ところが、この場合は車載器が常に複数の記録媒体が接続されることを想定して動作することになり、一方だけしか記録媒体が接続されていない時には全ての記録動作を停止してしまう。
【００１０】
しかしながら、デジタルタコグラフによって取得されるデータの用途とドライブレコーダによって取得されるデータの用途とは異なるので、これらの機能は互いに独立して利用できることが望ましい。
【００１１】
例えば、デジタルタコグラフが記録したデータを車両を管理する会社の事務所で解析するために１つの記録媒体を車載器から取り外した時であっても、この車載器でドライブレコーダの記録機能を利用できることが望まれる。逆に、ドライブレコーダが記録したデータを事務所で解析するために１つの記録媒体を車載器から取り外した時であっても、この車載器でデジタルタコグラフの記録機能を利用できることが望まれる。
【００１２】
但し、一般的には、映像のデータを記録するドライブレコーダは大容量の記録媒体を必要とする。また、ドライブレコーダは低容量の記録媒体であっても利用可能である。従って、それぞれの記録媒体の能力の違いや用途の違いを考慮しなければならない。
【００１３】
本発明は、上述した事情に鑑みてなされたものであり、その目的は、ドライブレコーダやデジタルタコグラフの複数の記録機能の各々のオンオフを記録媒体を用いて適切に管理することが可能な車載情報記録装置を提供することにある。
【課題を解決するための手段】
【００１４】
前述した目的を達成するために、本発明に係る車載情報記録装置は、下記（１）〜（４）を特徴としている。
（１）  車両上で車両の運行に関連する情報を取得し所定の記録媒体に記録する機能として、映像データを常時記録し、及び／又は、過大な加速度検出時を含むイベント時に映像及び車両の運行に関するデータを記録するドライブレコーダの記録機能と、一定の時間間隔で車両の運行に関するデータを取得して時系列データとして記録するデジタルタコグラフの記録機能と、を有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に予め登録されている記録可能種別情報を参照し、該当する記録媒体に対する前記ドライブレコーダの記録機能及び前記デジタルタコグラフの記録機能の各々の実行可否を前記記録可能種別情報に従って決定する情報記録制御部と
を備えること。
（２）  車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記記録可能種別情報は、前記複数の記録媒体接続部の中で該当する記録媒体の接続を許容する接続先を特定する情報を含む
こと。
（３）  車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記複数の記録媒体接続部は、それぞれに割り当てられた車載器側記録可能種別情報を有し、
前記情報記録制御部は、記録媒体接続部に接続された記録媒体上の記録可能種別情報、および該当する記録媒体接続部に割り当てられた車載器側記録可能種別情報に従って、該当する記録媒体における前記複数の記録モードの各々の実行可否を決定する
こと。
（４）  車両上で車両の運行に関連する情報を取得し所定の記録媒体に記録する機能を有し、情報を記録するタイミング及び記録する情報の種類の少なくとも一方が異なる複数の記録モードを有する車載情報記録装置であって、
情報の保存先として利用可能な複数の記録媒体をそれぞれ挿抜自在に保持する複数の記録媒体接続部と、
前記複数の記録媒体接続部の各々に接続された記録媒体上に割り当てられた記録可能種別情報を参照し、該当する記録媒体における前記複数の記録モードの各々の実行可否を前記記録可能種別情報に従って決定する情報記録制御部と
を備え、
前記情報記録制御部は、前記複数の記録媒体接続部の各々に対する記録媒体の接続状況を逐次監視し、接続有無の変化を検出した場合には、最新の接続状態における前記記録可能種別情報に従って、前記複数の記録モードの各々の実行可否の状態を更新する
こと。
【００１５】
上記（１）の構成の車載情報記録装置によれば、車載器の記録媒体接続部に接続する各記録媒体に前記記録可能種別情報を登録しておくことにより、車載器の記録モードを自動的に選択し、この記録媒体に記録されるデータを、記録媒体の用途や種類に合わせることが可能になる。また、複数の記録媒体接続部のいずれかから記録媒体を取り外した場合であっても、データの記録動作を継続することが可能になる。
上記（２）の構成の車載情報記録装置によれば、各々の記録媒体の接続先を、複数の記録媒体接続部の一部分のみに限定することが可能になる。
上記（３）の構成の車載情報記録装置によれば、接続された記録媒体上に記録可能種別情報が存在しない場合であっても、予め登録された前記車載器側記録可能種別情報に基づき、記録媒体に記録されるデータの種別を制御することが可能になる。
上記（４）の構成の車載情報記録装置によれば、車載器の電源が投入され記録動作が開始された後でいずれかの記録媒体を取り外したり、新たな記録媒体を装着した場合であっても、最新の接続状態に適した記録動作を行うことができる。
【発明の効果】
【００１６】
本発明の車載情報記録装置によれば、ドライブレコーダやデジタルタコグラフの複数の記録機能の各々のオンオフを記録媒体を用いて適切に管理することが可能になる。すなわち、車載器の記録媒体接続部に接続する各記録媒体に前記記録可能種別情報を登録しておくことにより、車載器の記録モードを自動的に選択し、この記録媒体に記録されるデータを、記録媒体の用途や種類に合わせることが可能になる。
【００１７】
以上、本発明について簡潔に説明した。更に、以下に説明される発明を実施するための形態を添付の図面を参照して通読することにより、本発明の詳細は更に明確化されるであろう。
【図面の簡単な説明】
【００１８】
【図１】図１は、実施形態の車載情報記録装置の構成例を示すブロック図である。
【図２】図２は、各記録媒体上の領域及び情報の具体例を示す模式図である。
【図３】図３は、図１に示した車載情報記録装置の動作手順を示すフローチャートである。
【図４】図４は、記録媒体の状態と動作との対応関係を示す模式図である。
【図５】図５は、記録媒体接続先の場所毎に割り当てられた情報の例を示す模式図である。
【発明を実施するための形態】
【００１９】
本発明の車載情報記録装置に関する具体的な実施形態について、各図を参照しながら以下に説明する。
【００２０】
＜装置の構成＞
本実施形態の車載情報記録装置の構成例が図１に示されている。この車載器本体１０は、一般的なドライブレコーダが有する機能と、デジタルタコグラフが有する機能との双方を備えている。ドライブレコーダの機能については、映像などのデータを常時記録する動作や、過大な加速度を検出したようなイベントの際に映像や車両の運行に関するデータを記録する動作が含まれる。デジタルタコグラフの機能については、例えば一定の時間間隔で車両の様々な運行データを取得して時系列データとして記録する動作が含まれる。
【００２１】
図１に示す車載器本体１０には、マイクロコンピュータ（ＣＰＵ）１１、インタフェース（Ｉ／Ｆ）１２〜１４、カード接続用インタフェース１５、１６、記録媒体１７、１８、メモリ（ＳＤＲＡＭ）１９、および広域通信端末２０が備わっている。
【００２２】
マイクロコンピュータ１１は、予め組み込まれたプログラムを読み込んで実行することにより、車載器本体１０に必要とされる様々な機能、例えばドライブレコーダ機能１１ａやデジタルタコグラフ機能（デジタコ機能）１１ｂが実現される。マイクロコンピュータ１１の具体的な動作については後で説明する。
【００２３】
インタフェース１２には、車載カメラ２１が接続されている。車載カメラ２１は、ＣＣＤ等の二次元撮像素子を内蔵しており、車体に固定され、車両の運行中に必要とされる被写体を連続的に撮影することができる。例えば、撮影方向を車外の進行方向前方又は後方に向けて車載カメラ２１を設置することにより、道路上の他の車両や歩行者などを含む様々な被写体を撮影することができる。また、撮影方向を車室内に向けることにより、乗務員の運転の状況などを撮影することができる。インタフェース１２は、車載カメラ２１が撮影した映像の信号を処理して、マイクロコンピュータ１１が処理可能な画像データを生成することができる。
【００２４】
インタフェース１３には、加速度（Ｇ）センサ２２が接続されている。加速度センサ２２は、車両の進行方向の前後方向等の加速度の大きさを表す電気信号を出力する。インタフェース１３は、加速度センサ２２が出力する電気信号を処理して、加速度の大きさを表すデジタル信号をマイクロコンピュータ１１に出力する。
【００２５】
インタフェース１４には、速度センサ２３が接続されている。速度センサ２３は、車両の変速機に組み込まれており、変速機の出力軸が所定量回動作する毎にパルス信号（車速パルス）を出力する。インタフェース１４は、速度センサ２３が出力する車速パルスをマイクロコンピュータ１１の処理に適した信号に変換する。この車速パルスを計測することにより、車両の移動速度や移動距離を把握することができる。
【００２６】
２つのカード接続用インタフェース１５および１６は、それぞれ、メモリカードなどの所定の記録媒体を接続するためのコネクタ及びスロットを有し、記録媒体へのアクセスに必要な機能を有している。
【００２７】
カード接続用インタフェース１５、１６の各々に装着可能な記録媒体１７、１８の代表例としては、ＳＤメモリカード、あるいはＣＦ（CompactFlash）（登録商標）カードのように、データの書き込み及び読み出しが自在な不揮発性メモリを内蔵したカードを想定している。
【００２８】
また、カード状の記録媒体の他に、フラッシュＳＳＤ（ソリッドステートドライブ）のような記憶装置を用いることも想定される。記録媒体１７又は１８としてフラッシュＳＳＤを用いる場合には、カード接続用インタフェース１５又は１６の代わりにＵＳＢ（Universal Serial Bus）インタフェースのような接続部を設ける。また、カード接続用インタフェース１５、１６の他に更にＵＳＢインタフェースを追加して３以上の記録媒体を接続可能な構成にしても良い。
【００２９】
いずれにしても、記録媒体１７、１８のそれぞれは、カード接続用インタフェース１５、１６のいずれかのスロットに装着したり、取り外したりすることができる。マイクロコンピュータ１１は、カード接続用インタフェース１５、１６を介して、これらに接続された記録媒体１７、１８に必要に応じてアクセスし、データを読み出したり書き込んだりすることができる。
【００３０】
メモリ１９は、マイクロコンピュータ１１のアクセスによりデータの書き込み及び読み出しが自在な記憶装置（ＳＤＲＡＭ）であり、様々なデータを一時的に保存するために利用される。
【００３１】
広域通信端末２０は、この車載器本体１０が車両の外に存在するサーバなどの様々な装置との間でデータ通信するための無線通信機能を提供する。広域通信端末２０は、携帯電話会社等が提供する移動体通信網の無線基地局との間で無線通信を行い、無線通信回線を確保することができる。
【００３２】
＜記録媒体の具体例＞
前述の各記録媒体１７、１８に関する領域及び情報の具体例が図２に示されている。図２に示した例では、記録媒体１７は、デジタルタコグラフ（デジタコ）のデータ記録用途に専用に使用できるように所定の情報を書き込んである。また、記録媒体１８は、ドライブレコーダのデータ記録用途に専用に使用できるように情報を書き込んである。
【００３３】
図２に示す例では、記録媒体１７の所定位置（具体例として先頭アドレスの位置）に、記録可能種別情報Ｄ１が予め書き込まれている。また、この記録可能種別情報Ｄ１には、許可される接続先を表す情報Ｄ１ａと、許可される機能を表す情報Ｄ１ｂとが含まれている。情報Ｄ１ａの「１」は、この記録媒体１７を１番目の接続先（カード接続用インタフェース１５に相当）に接続できることを表している。また、情報Ｄ１ｂには、デジタルタコグラフの機能を許可するフラグと、ドライブレコーダのイベント記録動作を禁止するフラグおよび常時映像記録動作を禁止するフラグとが含まれている。
【００３４】
同様に、記録媒体１８の所定位置には記録可能種別情報Ｄ２が予め書き込まれている。また、この記録可能種別情報Ｄ２には、許可される接続先を表す情報Ｄ２ａと、許可される機能を表す情報Ｄ２ｂとが含まれている。情報Ｄ２ａの「２」は、この記録媒体１８を２番目の接続先（カード接続用インタフェース１６に相当）に接続できることを表している。また、情報Ｄ２ｂには、デジタルタコグラフの機能を禁止するフラグと、ドライブレコーダのイベント記録動作を許可するフラグおよび常時映像記録動作を許可するフラグとが含まれている。
【００３５】
この記録可能種別情報Ｄ１を設けることにより、記録媒体１７はデジタルタコグラフ専用に用途が割り当てられ、データを記録可能な領域にはデジタルタコグラフのデータ（デジタコデータ）が書き込まれる。また、記録可能種別情報Ｄ２を設けることにより、記録媒体１８はドライブレコーダ専用に用途が割り当てられ、データを記録可能な領域にはドライブレコーダのデータ（イベント検出時のデータ、常時記録映像のデータ）が書き込まれる。
【００３６】
＜装置の動作＞
図１に示した車載情報記録装置の動作手順が図３に示されている。この動作手順はマイクロコンピュータ１１が実行するプログラムの処理によって実現される。図３の動作手順について以下に説明する。
【００３７】
車載器本体１０の電源が投入されると、マイクロコンピュータ１１は図３のステップＳ１１から処理を開始する。ステップＳ１１では、それ自身が実行可能な機能をマイクロコンピュータ１１が識別する。図１に示した車載器本体１０においては、ドライブレコーダ機能１１ａ及びデジタルタコグラフ機能１１ｂのプログラムが組み込まれているので、ドライブレコーダの常時映像記録およびイベント記録と、デジタルタコグラフの記録が実行できることを認識する。
【００３８】
ステップＳ１２では、マイクロコンピュータ１１はカード接続用インタフェース１５及び１６のそれぞれの接続部（コネクタ）の接続状態を表す信号を監視して、記録媒体が接続されているか否かを識別する。カード接続用インタフェース１５及び１６の少なくとも一方に記録媒体が接続されていることを認識すると次のステップＳ１３に進む。
【００３９】
ステップＳ１３では、マイクロコンピュータ１１は利用可能な各記録媒体の接続先を確認する。すなわち、１つ又は２以上の各記録媒体が、「接続先Ａ（又は接続先「１」）」に相当するカード接続用インタフェース１５と、「接続先Ｂ（又は接続先「２」）」に相当するカード接続用インタフェース１６のいずれに接続されているのかをそれぞれ認識する。
【００４０】
例えば図１に示すように、カード接続用インタフェース１５に記録媒体１７が接続され、且つ、カード接続用インタフェース１６に記録媒体１８が接続されている場合には次のように動作する。すなわち、ステップＳ１４でカード接続用インタフェース１５に記録媒体１７が接続されていることを認識してステップＳ１５に進む。そして、ステップＳ１５で記録媒体１７が既に記録中（記録可能情報種別の検出が終了している）か否かを識別し、記録中であればステップＳ１６に進み、記録中でなければステップＳ２２に進む。また、ステップＳ１６ではカード接続用インタフェース１６に記録媒体１８が接続されていることを認識してステップＳ１７に進む。ステップＳ１７では、記録媒体１８が既に記録中（記録可能情報種別の検出が終了している）か否かを識別し、記録中であればステップＳ１８に進み、記録中でなければステップＳ２２に進む。
【００４１】
一方、カード接続用インタフェース１５に記録媒体が接続されていない状況では、ステップＳ１４からＳ２０に進み、ステップＳ２０でカード接続用インタフェース１６に記録媒体１８が接続されているか否かを識別する。カード接続用インタフェース１６に記録媒体１８が接続されている場合には、次のステップＳ２１でこの記録媒体１８が記録中か否かを識別し、記録中であればステップＳ１２に戻り、まだ記録を開始してなければステップＳ２２に進む。
【００４２】
ステップＳ１８では、マイクロコンピュータ１１は記録動作の継続が可能か否かを識別し、可能であればステップＳ１２に戻り、不可能であればステップＳ１９で記録処理を終了する。
【００４３】
例えば、記録媒体１７に対する記録を開始した後で、記録媒体１７をカード接続用インタフェース１５から取り外したような場合には、記録媒体１７が取り外されたことをステップＳ１２で認識し、ステップＳ１８で記録媒体１７に対する記録継続ができないことを認識する。その場合、記録媒体１７に対する機能動作のみをステップＳ１９で停止し、記録媒体１８に対する記録動作は継続する。
【００４４】
ステップＳ２２では、マイクロコンピュータ１１は接続されているそれぞれの記録媒体が車載器本体１０にとって記録可能な媒体であるか否かを識別する。具体的には、予め定めた識別コード（メーカの企業コードなど）を有し、且つ、正しい状態でフォーマットされている場合に、記録可能な媒体であると認識する。記録可能な媒体を検出すると次のステップＳ２３に進む。
【００４５】
ステップＳ２３では、マイクロコンピュータ１１は各々の記録媒体上に設けられた記録可能種別情報（図２のＤ１，Ｄ２）を参照し、これに含まれる情報（Ｄ１ｂ，Ｄ２ｂ）により許可されている記録機能の種別を確認する。
【００４６】
ステップＳ２４では、マイクロコンピュータ１１はステップＳ２３で確認した情報（Ｄ１ｂ，Ｄ２ｂ）の種別の中で、常時映像記録のフラグがオン（許可）か否かを識別し、オンであればステップＳ２５に進み、オフであればステップＳ２６に進む。
【００４７】
ステップＳ２５では、マイクロコンピュータ１１は該当する記録媒体に対して、常時映像記録の動作を開始する。
【００４８】
ステップＳ２６では、マイクロコンピュータ１１はステップＳ２３で確認した情報（Ｄ１ｂ，Ｄ２ｂ）の種別の中で、イベント記録のフラグがオン（許可）か否かを識別し、オンであればステップＳ２７に進み、オフであればステップＳ２８に進む。
【００４９】
ステップＳ２７では、マイクロコンピュータ１１は該当する記録媒体に対して、イベント記録の動作を開始する。
【００５０】
ステップＳ２８では、マイクロコンピュータ１１はステップＳ２３で確認した情報（Ｄ１ｂ，Ｄ２ｂ）の種別の中で、デジタルタコグラフ記録のフラグがオン（許可）か否かを識別し、オンであればステップＳ２９に進む。
【００５１】
ステップＳ２９では、マイクロコンピュータ１１は該当する記録媒体に対して、デジタルタコグラフの記録動作を開始する。
【００５２】
上述のステップＳ２２〜Ｓ２９で「接続先Ａ」に接続された記録媒体１７に対する処理を行った場合には、もう一方の「接続先Ｂ」に接続された記録媒体に対しても同様の処理をステップＳ３０以降で行う。つまり、「接続先Ａ」、「接続先Ｂ」のそれぞれに接続された記録媒体に対して、各々の記録可能種別情報（図２のＤ１，Ｄ２）に従って、常時映像記録、イベント記録、デジタルタコグラフ記録の各動作の開始を制御する。
【００５３】
なお、図２に示すように各記録媒体１７、１８の記録可能種別情報（図２のＤ１，Ｄ２）に、許可される接続先の情報（Ｄ１ａ，Ｄ２ａ）が含まれている場合には、この情報の接続先と、これが実際に接続されている接続先（カード接続用インタフェース１５又は１６）との対応関係が一致するか否かを識別する。そして、一致しない場合はステップＳ２２で記録可能な媒体ではないと認識し、この記録媒体に対する記録動作を中止する。
【００５４】
＜記録媒体の接続状態の具体例＞
各記録媒体の状態と動作との対応関係の一覧が図４に示されている。つまり、図２に示した記録媒体１７のように、デジタルタコグラフの記録のみ許可する記録可能種別情報Ｄ１を有する記録媒体と、記録媒体１８のようにドライブレコーダの記録のみ許可する記録可能種別情報Ｄ２を有する記録媒体とを車載器本体１０に装着する場合の４種類の組み合わせ（１）、（２）、（３）、（４）を表している。
【００５５】
図４における組み合わせ（１）については、カード接続用インタフェース１５に記録媒体１７が装着されておらず、あるいは記録可能種別情報Ｄ１が存在せず（×で示す）、且つ、カード接続用インタフェース１６に記録媒体１８が装着されておらず、あるいは記録可能種別情報Ｄ２が存在しない（×で示す）状態を想定している。従って、この状態では、デジタルタコグラフの記録機能は起動せず（×で示す）、ドライブレコーダの記録機能も起動しない（×で示す）。
【００５６】
図４の組み合わせ（２）については、記録可能種別情報Ｄ１を有する記録媒体がカード接続用インタフェース１５に接続され（○で示す）、且つ、カード接続用インタフェース１６に記録媒体１８が装着されておらず、あるいは記録可能種別情報Ｄ２が存在しない（×で示す）状態を想定している。従って、この状態では、デジタルタコグラフの記録機能は起動する（○で示す）が、ドライブレコーダの記録機能は起動しない（×で示す）。
【００５７】
図４の組み合わせ（３）については、カード接続用インタフェース１５に記録媒体１７が装着されておらず、あるいは記録可能種別情報Ｄ１が存在せず（×で示す）、且つ、記録可能種別情報Ｄ２を有する記録媒体がカード接続用インタフェース１６に接続されている（○で示す）状態を想定している。従って、この状態では、デジタルタコグラフの記録機能は起動しない（×で示す）が、ドライブレコーダの記録機能は起動する（○で示す）。
【００５８】
図４の組み合わせ（４）については、記録可能種別情報Ｄ１を有する記録媒体がカード接続用インタフェース１５に接続され（○で示す）、且つ、記録可能種別情報Ｄ２を有する記録媒体がカード接続用インタフェース１６に接続されている（○で示す）状態を想定している。従って、この状態では、デジタルタコグラフの記録機能が起動し（○で示す）、且つ、ドライブレコーダの記録機能も起動する（○で示す）。
【００５９】
＜車載器側にも接続部毎に記録可能種別情報を割り当てる場合＞
記録媒体接続先の場所毎に割り当てられた情報の例が図５に示されている。図５に示す例では、図１における「接続先１」であるカード接続用インタフェース１５と、「接続先２」であるカード接続用インタフェース１６の他に、ＵＳＢインタフェース（図示せず）が「接続先３」として存在する場合を想定している。
【００６０】
この場合、マイクロコンピュータ１１は、図５に示す記録可能種別情報Ｄ２１を「接続先１」であるカード接続用インタフェース１５に対応付け、記録可能種別情報Ｄ２２「接続先２」であるカード接続用インタフェース１６に対応付け、記録可能種別情報Ｄ２３を「接続先３」であるＵＳＢインタフェースに対応付けた状態で予め記憶している。
【００６１】
記録可能種別情報Ｄ２１は図２の記録可能種別情報Ｄ１と同様にデジタルタコグラフの記録を許可することを意味する情報であり、記録可能種別情報Ｄ２２及びＤ２３は記録可能種別情報Ｄ２と同様にドライブレコーダの記録を許可することを意味する情報である。
【００６２】
マイクロコンピュータ１１が図５に示す記録可能種別情報Ｄ２１、Ｄ２２、Ｄ２３を事前に把握している場合には、実際に接続された記録媒体上に記録可能種別情報（Ｄ１，Ｄ２に相当）が存在しない場合であっても、記録可能種別情報Ｄ２１、Ｄ２２、Ｄ２３に従って種別毎に記録機能の起動可否を決定することができる。接続された記録媒体上に記録可能種別情報（Ｄ１，Ｄ２に相当）が存在する場合は、この情報を優先的に利用して図３の動作と同様に各記録機能の起動可否を決定し、記録可能種別情報Ｄ２１、Ｄ２２、Ｄ２３の内容は無視すればよい。
【００６３】
＜補足説明＞
例えば、記録媒体としてＳＤメモリカードを採用する場合には、規格上の容量の制約（２ＧＢ）があるので、大量のデータを長時間にわたって記録することは難しい。一方、ＵＳＢインタフェースを利用できる場合には、大容量のフラッシュＳＳＤ（ソリッドステートドライブ）を記録媒体として接続できるので、大量のデータを長時間にわたって記録することもできる。
【００６４】
従って、図５に示した例のように、「接続先１」及び「接続先２」にはＳＤメモリカードを接続し、「接続先３」にはフラッシュＳＳＤを接続することが想定される。一方、デジタルタコグラフの機能により記録されるデータについては、比較的容量が小さいのでＳＤメモリカード上に記録することができる。また、ドライブレコーダの機能により記録されるデータについても、イベント発生時に取得したデータだけであれば、比較的容量が小さいのでＳＤメモリカード上に記録することができる。しかし、車載カメラの撮影により得られる映像のデータを常時記録する場合には、大容量の記録領域が必要になる。
【００６５】
従って、記録媒体がフラッシュＳＳＤの場合には、ドライブレコーダの記録機能をオンにして、イベント発生時に取得したデータと、映像の常時記録データとの双方を許可するように該当する記録媒体上の記録可能種別情報（Ｄ２に相当）の内容を決定することが想定される。また、ドライブレコーダ用の記録媒体がＳＤメモリカードの場合には、ドライブレコーダの記録機能をオンにして、イベント発生時に取得したデータは許可するが、映像の常時記録データは禁止にするように、該当する記録媒体上の記録可能種別情報の内容を決定することが想定される。
【００６６】
いずれにしても、図２に示した記録可能種別情報Ｄ１を有する記録媒体１７が車載器本体１０に接続されている場合には、この記録媒体１７に対してデジタルタコグラフの記録データのみが書き込まれる。また、図２に示した記録可能種別情報Ｄ２を有する記録媒体１８が車載器本体１０に接続されている場合には、この記録媒体１８に対してドライブレコーダの記録データのみが書き込まれる。
【００６７】
また、記録媒体１７だけを車載器本体１０に接続している状態では、デジタルタコグラフの記録機能だけが稼働するが、新たに記録媒体１８を接続すると、マイクロコンピュータ１１の認識している記録媒体の状態がステップＳ１２で更新される。そして、記録媒体１８に対してドライブレコーダの記録機能が稼働する。また、乗務員等が車載器本体１０から記録媒体１７を取り外すと、この場合もマイクロコンピュータ１１が記録媒体の新たな状態をステップＳ１２で把握し、デジタルタコグラフの記録機能をステップＳ１９で停止する。
【００６８】
従って、デジタルタコグラフの機能とドライブレコーダの機能の双方が一体化された車載器本体１０を使用する場合であっても、これらの機能を独立して使用することができる。例えば、デジタルタコグラフの記録したデータを解析するために、記録媒体１７を車載器本体１０から取り外して事務所に持ち帰った場合であっても、記録媒体１８が接続されていればドライブレコーダの機能はそのまま継続して利用できる。逆に、記録媒体１８を車載器本体１０から取り外した場合であっても、記録媒体１７が接続されていればデジタルタコグラフの機能はそのまま継続して利用できる。
【符号の説明】
【００６９】
１０  車載器本体
１１  マイクロコンピュータ（情報記録制御部）
１１ａ  ドライブレコーダ機能
１１ｂ  デジタルタコグラフ機能
１２，１３，１４  インタフェース
１５，１６  カード接続用インタフェース（記録媒体接続部）
１７，１８  記録媒体
１９  メモリ
２０  広域通信端末
２１  車載カメラ
２２  加速度センサ
２３  速度センサ
Ｄ１，Ｄ２  記録可能種別情報
Ｄ２１，Ｄ２２，Ｄ２３  記録可能種別情報（車載器側記録可能種別情報）
【図１】
0005952565.tif 000002
【図２】
0005952565.tif 000003
【図３】
0005952565.tif 000004
【図４】
0005952565.tif 000005
【図５】
0005952565.tif 000006